(57)【要約】【課題】給油所における料金精算が容易になる料金精算システムを提供する。【解決手段】車の所有者に関する顧客データ及びその車のディーラーである販売店に関するデータが記録され外部から読取り可能な識別片１８を搭載した自動車１７と、自動車１７が給油所１１に進入したとき識別片１８のデータを読取る読取りセンサ２９を取付けた給油所機器と、読取りセンサ２９で識別片から読取ったデータと給油所機器を使用したときの料金に関するデータとに基づいて料金精算に関するデータを通信ネットワーク１４を介して送信する送受信装置３２と、送受信装置３２から通信ネットワーク１４を介して送信されてきたデータを受信して料金精算処理を行う販売店１５に設けられる販売店端末１６とを備える。【選択図】      図１
2004262480.tif 000002
【特許請求の範囲】
【請求項１】
車の所有者に関する顧客データ及びその車のディーラーである販売店に関するデータが記録され外部から読取り可能な識別片を搭載した自動車と、該自動車が給油所に進入したとき前記識別片のデータを読取る読取りセンサを取付けた給油所機器と、前記読取りセンサで識別片から読取ったデータと給油所機器を使用したときの料金に関するデータとに基づいて料金精算に関するデータを通信ネットワークを介して送信する送受信装置と、該送受信装置から通信ネットワークを介して送信されてきたデータを受信して料金精算処理を行う販売店に設けられる販売店端末とを備えたことを特徴とする給油所の料金精算システム。
【請求項２】
前記送受信装置は、給油所機器または販売情報管理を行うために設置されたＰＯＳ端末装置に設けられていることを特徴とする請求項１記載の給油所の料金精算システム。
【請求項３】
前記識別片には、車両データとして油種データが記録されていることを特徴とする請求項１記載の給油所の料金精算システム。
【発明の詳細な説明】
【０００１】
【発明の属する技術分野】
本発明は、給油所で供給する燃料油に対する料金精算等を容易にした給油所の料金精算システムに関するものである。
【０００２】
【従来の技術】
近年、自動車にはナビゲーションシステム等のハイテク機器が搭載され、渋滞情報や道路案内等を運転者に提供して負担の軽減を図っている。また、ガソリン等の燃料油を供給する給油所においても、クレジットカードあるいは携帯電話機を使用することで給油料金の精算を簡略化できるようにしている。本出願人は、クレジットカードやデビットカード等により給油料金の精算ができるデータ入出力装置に関する技術を開示している（例えば、特許文献１参照。）。また、本出願人は、既存の通信ネットワークを利用して携帯電話機から給油設定データを入力し、給油料金の精算処理の請求データを元売センターで作成して簡略化を図ることができる給油所システムに関する技術を開示している（例えば、特許文献２参照。）。
【０００３】
【特許文献１】
特開２００１−３５４２９８号公報
【特許文献２】
特開２００２−２３４６００号公報
【０００４】
【発明が解決しようとする課題】
しかしながら、自動車の運転者がクレジットカードや携帯電話機等を忘れたときには、給油所において給油料金や洗車料金等に関するこれら料金精算のサービスを受けることができない不便があった。
【０００５】
本発明は上記事情に鑑みなされたもので、給油所における料金精算が容易になる給油所の料金精算システムを提供することを目的とする。
【０００６】
【課題を解決するための手段】
上記目的を達成するために請求項１に記載の発明にあっては、車の所有者に関する顧客データ及びその車のディーラーである販売店に関するデータが記録され外部から読取り可能な識別片を搭載した自動車と、該自動車が給油所に進入したとき前記識別片のデータを読取る読取りセンサを取付けた給油所機器と、前記読取りセンサで識別片から読取ったデータと給油所機器を使用したときの料金に関するデータとに基づいて料金精算に関するデータを通信ネットワークを介して送信する送受信装置と、該送受信装置から通信ネットワークを介して送信されてきたデータを受信して料金精算処理を行う販売店に設けられる販売店端末とを備えたことを特徴とするものである。自動車に搭載されたデータを給油所の給油所機器に設けられた読取りセンサにより読取られ、給油所機器を使用したときの料金精算に関するデータとともに通信ネットワークを介して販売店端末へ送信され料金精算が行われるため、給油所における料金精算が容易になる。
【０００７】
請求項２に記載の発明にあっては、前記送受信装置は、給油所機器または販売情報管理を行うために設置されたＰＯＳ端末装置に設けられていることを特徴とするものである。送受信装置が給油所機器に設けられていれば、給油所機器において料金精算ができ、ＰＯＳ端末装置に設けられていれば販売情報管理とともに料金精算ができる。
【０００８】
請求項３に記載の発明にあっては、前記識別片には、車両データとして油種データが記録されていることを特徴とするものである。識別片に油種データを記録することで給油装置で給油するときに誤給油を防止することができる。
【０００９】
【発明の実施の形態】
以下、本発明を図示の一実施形態により具体的に説明する。図１及び２は本発明実施形態の給油所の料金精算システムを説明する図であり、図１は料金精算システムの全体構成を説明するブロック図、図２は給油所の機器構成を説明する図である。
【００１０】
これらの図において、本実施形態の給油所の料金精算システム１０は、車の所有者に関する顧客データや車両データ及びその車のディーラーである販売店１６に関するデータが記録された識別片１８を搭載した自動車１７と、給油所１１に設置されている識別片１８の読取りセンサ２９を取付けた給油装置１２あるいは洗車機等の給油所機器と、読取りセンサ２９で識別片１８から読取ったデータと給油所機器を使用したときの料金に関するデータとに基づいて料金精算に関するためのデータを通信ネットワーク１４を介して送信するＰＯＳ端末装置１３と、このＰＯＳ端末装置１３から通信ネットワーク１４を介して送信されてきたデータを受信して料金精算処理を行う販売店１７に設けられる販売店端末１８とから構成されている。
【００１１】
自動車１７は、例えば、ルームミラーあるいはサンバイザー等の所定の場所に識別片１８が取付けられている。この識別片１８には、顧客データとしてその自動車１７の所有者の氏名、住所、その自動車１７の車両番号、型式、車台番号、メーカ、油種、洗車のためのセダン、ワンボックスあるいはジープ等の車型に関するデータ、及びその自動車１７を販売した販売店１７が顧客に代わって料金精算するために必要な通信先のアドレス等に関するデータが記録されており、顧客が自動車１７を購入したとき、販売店１５において必要な上記のデータを記録して顧客に提供されるものである。この種の識別片１８は、例えば、自動車１７が給油所１１に進入したとき、読取りセンサ２９から送信されてくる信号に反応して記録したデータをその読取りセンサ２９に送信することで、外部から読取り可能なものである。
【００１２】
給油所１１は、給油装置１２あるいは図示しない洗車機等の給油所機器が設置されている。給油所機器として、例えば、給油装置１２は、地上設置型の装置であり、その給油装置本体２０の下部側には、給油モータ２１により駆動される燃料油供給用の給油ポンプを有する給油機構が収納されている。この給油機構には、先端に給油ノズル２３を有する給油ホース２２が接続され、給油装置本体２０の上部側から吊り下げられている。給油ノズル２３は、給油装置本体２０の正面操作側に取付けられたノズル掛け２４に掛けられ、このノズル掛け２４の近傍には、掛け外しを検知するためのノズルスイッチ２５が取付けられている。ノズル掛け２４上部の給油装置本体２０の正面操作側には、給油機構により供給される燃料油の給油量を表示するための表示器２５、給油量や油種等の給油データを設定するとともにそのデータを表示するためのタッチパネル２６、給油伝票を発行するためのプリンタ２７、クレジットカード等のカードを読取るためのカードリーダ２８が取付けられている。さらに、給油装置本体２０には、その上部側正面に自動車１７に搭載された識別片１８のデータを読取るための読取りセンサ２９が取付けられている。また、給油装置本体２０内には、各部の機器を制御するとともに給油設定データや給油データ及び読取りセンサ２９で読取ったデータを、ＰＯＳ端末装置１３へ送信する給油制御装置３０が設けられている。なお、給油装置１２には、カードリーダ２８が取付けられクレジットカード等により精算ができるものであるが、本実施形態では、カードを使用しないで精算処理できるようにしたもである。
【００１３】
ＰＯＳ端末装置１３は、給油所１１の事務所内等に配置されており、ＰＯＳデータ制御装置３２と、送受信装置３２等とから構成されている。ＰＯＳデータ制御装置３２は、給油装置１２の給油制御装置３０等から送信されてくる販売情報に関連するデータに基づいて販売情報管理を行うとともに必要により顧客に対して伝票発行のための処理を行い、その販売情報に関連するデータとともに読取りセンサ２９で読取ったデータを送信するための処理を行う部分である。送受信装置３２は、ＰＯＳデータ制御装置３２を介して送信されてくる販売情報に関連するデータ、読取りセンサ２９で読取ったデータを通信ネットワーク１４を介して販売店１５に設けられた販売店端末１６へ送信する部分である。
【００１４】
販売店端末１６は、自動車１７を販売した販売店に設けられている端末であり、給油所１１のＰＯＳ端末装置１３から送信されてくる、料金精算に必要な顧客データ及び給油料金や洗車料金等に関するデータを受信して精算処理を行い、必要により伝票を発行する部分である。本実施形態においては、販売店１５が顧客に代わって料金を給油所１１に１ヶ月分をまとめて支払い、顧客は料金を販売店１５に対して１ヶ月分をまとめて支払う。
【００１５】
次に、上記構成の料金精算システム１０の動作を説明する。図３〜図５は給油所の料金精算システムの動作を説明する図であり、図３は給油装置の動作を説明するフローチャート、図４はＰＯＳ端末装置の動作を説明するフローチャート、図５は販売店端末の動作を説明するフローチャートである。
【００１６】
まず、自動車１７が給油所１１に進入し、給油所機器である給油装置１２に近づくと、図３に示すように、読取りセンサ２９から送信される信号に識別片１８が反応し、そこに記録したデータが識別片１８から送信され、読取りセンサ２９が受信すると（ＳＴ１）、その読取りデータが給油制御装置３０を介してＰＯＳ端末装置１３へ送信される（ＳＴ２）。続いて、タッチパネル２６により給油設定が行われ（ＳＴ３）、給油ノズル２３をノズル掛け２４から外してノズルスイッチ２５がオンすると（ＳＴ４）、表示器２５が帰零され、給油ポンプの給油モータ２１が駆動されて給油が可能になる（ＳＴ５）。給油が終了して給油ノズル２３をノズル掛け２４に掛けてノズルスイッチ２５がオフすると（ＳＴ６）、給油データや精算に必要なデータが給油制御装置３０を介してＰＯＳ端末１３へ送信される（ＳＴ７）。
【００１７】
ＰＯＳ端末装置１３においては、図４に示すように、給油装置１２から識別片１８の読取りデータ及び給油終了後の給油データや精算に必要なデータを受信したとき（ＳＴ１１）、ＰＯＳデータ制御装置３１において、精算処理を行い（ＳＴ１２）、必要により伝票発行の処理を行い（ＳＴ１３）、続いて読取りデータのうちの販売店１５に関するアドレスデータ等に基づいて、送受信装置３２から通信ネットワーク１４を介して販売店端末１６へ精算に必要なデータが送信される（ＳＴ１４）。
【００１８】
販売店端末１６においては、図５に示すように、ＰＯＳ端末装置１３から通信ネットワーク１４を介して精算に必要なデータを受信すると（ＳＴ２１）、顧客に対応した精算処理を行い（ＳＴ２２）、伝票発行を行う（ＳＴ２３）。
【００１９】
上記構成の料金精算システム１０では、自動車１７にはルームミラーあるいはサンバイザー等の場所に、その自動車１７の所有者に関連する顧客データや車両に関するデータ及びその自動車１７を販売した販売店１５に関するデータを記録した識別片１８が取付けられ、自動車１７が給油所１１に進入して給油装置１２に近づいたとき、その給油装置本体２０に取付けられた読取りセンサ２９により、識別片１８のデータが読取られ、その読取りデータがＰＯＳ端末装置１３へ送信され、また、給油装置１２において、給油終了後には同様にＰＯＳ端末装置１３へ給油データや精算データが送信される。そして、これらの精算に必要なデータは、ＰＯＳ端末装置１３から通信ネットワーク１４を介して販売店端末１６に送信されて精算処理が行われる。したがって、自動車１７の運転者がクレジットカードや携帯電話機等を忘れたときでも、給油所において給油料金や洗車料金等に関するこれら料金精算が容易になる。なお、料金精算は、１ヶ月分をまとめて行うことができ、例えば、給油所１１における給油の単価が顧客に対して１リットル１０２円で表示され、顧客は販売店１５に対して１リットル１００円で支払い、販売店１５は顧客に代わって給油所に対して１リットル９８円で支払うようにする。これにより、給油所１１が販売店１５の顧客に対して料金の値引きを行うとともに、販売店１５が顧客に対して料金精算のサービスを提供できるようになる。なお、本実施形態においては、識別片１８に給油時に必要となる油種データ等を同時に記録しておけば、通常使用時における誤給油を防止することができ、給油時の給油データの入力を省略できることができる。
【００２０】
上記実施形態において、送受信装置３２は、ＰＯＳ端末装置１３に設けられた例を説明したが、他の給油所機器に設けられていてもよい。また、給油所１１の給油装置１２に読取りセンサ２９を取付けた例を説明したが、自動車１７が利用する洗車機等の給油所機器に取付けられていてもよい。また、自動車１７に搭載される識別片１８は、精算処理に必要な顧客データや車両データ及び販売店１５に関するデータが記録されていればよく、実施形態に限定されない。
【００２１】
【発明の効果】
以上説明したように本発明の給油所の料金精算システムでは、車の所有者に関する顧客データ及びその車のディーラーである販売店に関するデータが記録され外部から読取り可能な識別片を搭載した自動車と、自動車が給油所に進入したとき識別片のデータを読取る読取りセンサを取付けた給油所機器と、読取りセンサで識別片から読取ったデータと給油所機器を使用したときの料金に関するデータとに基づいて料金精算に関するデータを通信ネットワークを介して送信する送受信装置と、送受信装置から通信ネットワークを介して送信されてきたデータを受信して料金精算処理を行う販売店に設けられる販売店端末とを備えたことで、給油所における料金精算が容易になる。
【図面の簡単な説明】
【図１】本発明実施形態の料金精算システムの全体構成を説明するブロック図である。
【図２】本発明実施形態の給油所の機器構成を説明する図である。
【図３】本発明実施形態の給油装置の動作を説明するフローチャートである。
【図４】本発明実施形態のＰＯＳ端末装置の動作を説明するフローチャートである。
【図５】本発明実施形態の販売店端末の動作を説明するフローチャートである。
【符号の説明】
１０  料金精算システム
１１  給油所
１２  給油装置
１３  ＰＯＳ端末装置
１４  通信ネットワーク
１５  販売店
１６  販売店端末
１７  自動車
１８  識別片
２０  給油装置本体
２１  給油モータ
２２  給油ホース
２３  給油ノズル
２４  ノズル掛け
２５  ノズルスイッチ
２６  タッチパネル
２７  プリンタ
２８  カードリーダ
２９  読取りセンサ
３０  給油制御装置
３１  ＰＯＳデータ制御装置
３２  送受信装置
【図１】
2004262480.tif 000003
【図２】
2004262480.tif 000004
【図３】
2004262480.tif 000005
【図４】
2004262480.tif 000006
【図５】
2004262480.tif 000007